(57)【要約】【課題】外観デザインの自由度を向上できるプロジェクタを提供する。【解決手段】プロジェクタ１は、光源装置と、光源装置から射出された光束を画像情報に応じて変調する光変調装置と、光変調装置にて変調された光束をスクリーンに拡大投射する投射光学装置３と、光源装置、光変調装置、および投射光学装置３を内部に収納配置する外装筐体２とを備える。外装筐体２は、鉛直方向（Ｙ軸方向）に外装筐体２と交差する平面に沿う方向に分割形成され、互いに組み合うことで外装筐体２における鉛直方向に交差する面を構成するフロント部２１１およびリア部２１２を備えている。【選択図】図１
2008216758.tif 000002
【特許請求の範囲】
【請求項１】
光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納配置する外装筐体とを備えたプロジェクタであって、
前記外装筐体は、鉛直方向に前記外装筐体と交差する平面に沿う方向に分割形成され、互いに組み合うことで前記外装筐体における鉛直方向に交差する面を構成する複数の分割形成部を備えていることを特徴とするプロジェクタ。
【請求項２】
請求項１に記載のプロジェクタにおいて、
互いに組み合う各前記分割形成部のうち一方の分割形成部には、外縁部に他方の前記分割形成部に向けて突出し前記外縁部に沿って延出する突条部が形成され、
前記他方の分割形成部には、外縁部に前記一方の分割形成部の前記突条部が嵌合可能とする溝部が形成されていることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成し、該光学像をスクリーン等に拡大投射するプロジェクタが知られている（例えば、特許文献１参照）。
このようなプロジェクタでは、机等に設置された際の正置き姿勢、および天井等から吊り下げた状態で設置された際の天吊り姿勢においても、底面部分が机や天井等の設置面側に位置するため、外装筐体における設置面から離間した側の天面部分が当該プロジェクタの外観デザインを大きく決定するものである。
そして、特許文献１に記載のプロジェクタでは、外装筐体における天面部分は、着脱可能なランプカバー以外、１部材のアッパーケースで構成されている。
【０００３】
【特許文献１】特開２００３−４３５８３号公報
【発明の開示】
【発明が解決しようとする課題】
【０００４】
しかしながら、特許文献１に記載のプロジェクタでは、外装筐体における天面部分が１部材のアッパーケースで構成されているため、外観デザインに変化を付け難く、外観デザインの自由度が少ない、という問題がある。
【０００５】
本発明の目的は、外観デザインの自由度を向上できるプロジェクタを提供することにある。
【課題を解決するための手段】
【０００６】
本発明のプロジェクタは、光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納配置する外装筐体とを備えたプロジェクタであって、前記外装筐体は、鉛直方向に前記外装筐体と交差する平面に沿う方向に分割形成され、互いに組み合うことで前記外装筐体における鉛直方向に交差する面を構成する複数の分割形成部を備えていることを特徴とする。
【０００７】
ここで、複数の分割形成部は、鉛直方向（プロジェクタが正置き姿勢や天吊り姿勢等の所定の姿勢で設置された際の鉛直方向）に外装筐体と交差する平面に沿う方向に分割形成されたもの、すなわち、互いに組み合った状態から前記平面に沿う方向に分割可能なものであり、従来の構成でのランプカバーは含まないものである。
本発明では、外装筐体は、複数の分割形成部を備える。そして、複数の分割形成部は、互いに組み合うことで外装筐体における鉛直方向に交差する面、例えば、外観デザインを大きく決定する天面部を構成する。このことにより、外観デザインを大きく決定する天面部が複数の部材（分割形成部）で構成されているので、例えば、複数の分割形成部毎に色や表面処理を変えて天面部を領域毎に見え方の違う構成としたり、プロジェクタ自体を視覚的に小さく見えるデザインで構成したりすることができ、外観デザインの自由度を向上できる。
【０００８】
本発明のプロジェクタでは、互いに組み合う各前記分割形成部のうち一方の分割形成部には、外縁部に他方の前記分割形成部に向けて突出し前記外縁部に沿って延出する突条部が形成され、前記他方の分割形成部には、外縁部に前記一方の分割形成部の前記突条部が嵌合可能とする溝部が形成されていることが好ましい。
ところで、外装筐体における鉛直方向に交差する面、例えば、天面部を複数の分割形成部で構成した場合には、各分割形成部の境界部分の隙間からの漏れ光や、境界部分の強度等、解決しなければならない問題が生じる。
本発明では、互いに組み合う各分割形成部のうち一方の分割形成部の外縁部に該外縁部に沿って延出する突条部が形成され、他方の分割形成部の外縁部に該外縁部に沿って延出する溝部が形成されている。このことにより、突条部および溝部を互いに嵌合することで、各分割形成部の外縁部間を突条部にて閉塞できる。すなわち、各分割形成部間から外部に光が漏れることがなく、プロジェクタから拡大投射された投影画像を観賞する観賞者に不快感を与えることがない。また、突条部および溝部を互いに嵌合することで、各分割形成部の境界部分に座屈が生じることを防止でき、各分割形成部の境界部分の強度を十分に確保できる。
【発明を実施するための最良の形態】
【０００９】
以下、本発明の実施の一形態を図面に基づいて説明する。
〔外観構成〕
図１は、プロジェクタ１の外観を示す斜視図である。具体的に、図１は、プロジェクタ１を前面上方側から見た斜視図である。
なお、図１では、説明の便宜上、プロジェクタ１からの光束の投射方向をＺ軸とし、該Ｚ軸に直交する２軸をそれぞれＸ軸（水平軸）およびＹ軸（垂直軸）とする。以下の図面も同様である。
プロジェクタ１は、光源から射出される光束を画像情報に応じて変調してカラー画像（光学像）を形成し、このカラー画像をスクリーン（図示略）上に拡大投射するものである。このプロジェクタ１は、図１に示すように、略直方体状の外装筐体２内部に後述する装置本体が収納された構成を有している。
【００１０】
外装筐体２は、合成樹脂製の筐体であり、プロジェクタ１の装置本体を収納する。この外装筐体２は、図１に示すように、プロジェクタ１の天面、前面の一部、背面の一部、および側面の一部をそれぞれ構成するアッパーケース２１と、プロジェクタ１の底面、前面の一部、背面の一部、および側面の一部をそれぞれ構成するロアーケース２２とで構成され、アッパーケース２１およびロアーケース２２は互いにねじ等で固定されている。
なお、外装筐体２は、合成樹脂等に限らず、その他の材料にて形成してもよく、例えば、金属等により構成してもよい。
また、アッパーケース２１の詳細な構成については、後述する。
【００１１】
〔内部構成〕
図２は、プロジェクタ１の内部構成を模式的に示す図である。
外装筐体２の内部には、図２に示すように、プロジェクタ１の装置本体が収容されており、この装置本体は、投射光学装置としての投射レンズ３と、光学ユニット４等を備える。
なお、図２において、具体的な図示は省略したが、装置本体は、投射レンズ３、および光学ユニット４の他、プロジェクタ１内部の各構成部材に電力を供給する電源ユニット、プロジェクタ１内部の各構成部材を冷却する冷却ファン等を備えた冷却ユニット、およびプロジェクタ１内部の各構成部材を制御する制御装置等を備えているものとする。
【００１２】
投射レンズ３は、具体的な図示は省略したが、複数のレンズと、前記複数のレンズを内部に収納する筒状の鏡筒とで構成され、光学ユニット４により形成されたカラー画像を拡大投射する。
前記鏡筒は、筒状軸を中心として回転することで前記複数のレンズの相対位置を変更可能としスクリーン上の投影画像のフォーカス調整やズーム調整を実施するためのリング状の位置変更部３１（図１）を含んで構成される。また、位置変更部３１には、図１に示すように、回転操作するための突起部３１Ａが形成されている。
【００１３】
光学ユニット４は、図２に示すように、外装筐体２の背面に沿って延出するとともに、外装筐体２の側面に沿って延出する平面視略Ｌ字形状を有し、前記制御装置による制御の下、光源から射出された光束を光学的に処理して画像情報に対応したカラー画像を形成するユニットである。この光学ユニット４は、図２に示すように、光源装置４１と、均一照明光学装置４２と、色分離光学装置４３と、リレー光学装置４４と、光学装置４５と、光学部品用筐体４６とを備える。
【００１４】
光源装置４１は、前記制御装置による制御の下、点灯し、均一照明光学装置４２に向けて光束を射出する。この光源装置４１は、図２に示すように、光源ランプ４１１およびリフレクタ４１２を有する光源装置本体４１Ａと、平行化レンズ４１３と、これら各部材４１１〜４１３を内部に収納するランプハウジング４１４とを備える。これら各部材４１１〜４１３は、光学部品用筐体４６に接続するランプハウジング４１４に収納配置されることで、光学部品用筐体４６に対する所定位置（光源装置４１から射出される光束の中心軸と光学部品用筐体４６内に設定された照明光軸Ａとが一致する位置）に位置決めされる。そして、光源ランプ４１１から射出された放射状の光束は、リフレクタ４１２にて反射され、平行化レンズ４１３を介して平行光とされる。
なお、図２では、リフレクタ４１２を楕円面リフレクタとして構成していたが、これに限らず、光源ランプ４１１から射出された光束を略平行光として反射するパラボラリフレクタとして構成しても構わない。この場合には、平行化レンズ４１３を省略する。
【００１５】
均一照明光学装置４２は、光源装置４１から射出された光束を、光学装置４５を構成する後述する液晶パネルの画像形成領域に略均一に照明するための光学系である。この均一照明光学装置４２は、図２に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００１６】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００１７】
色分離光学装置４３は、図２に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図２に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００１８】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００１９】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２０】
光学装置４５は、入射した光束を画像情報に応じて変調して画像光（カラー画像）を形成するものである。この光学装置４５は、図２に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２１】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、具体的な図示は省略するが、一対の透明なガラス基板に電気光学物質である液晶が密閉封入された構成を有し、前記制御装置からの駆動信号に応じて、前記液晶の配向状態が制御され、入射側偏光板４５２から射出された偏光光束の偏光方向を変調する。
【００２２】
射出側偏光板４５３は、入射側偏光板４５２と同様の構成を有し、液晶パネル４５１から射出された光束のうち、入射側偏光板４５２における光束の透過軸と直交する偏光方向を有する光束のみ透過させ、その他の光束を吸収するものである。
クロスダイクロイックプリズム４５４は、射出側偏光板４５３から射出された色光毎に変調された変調光を合成して画像光（カラー画像）を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、各液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００２３】
光学部品用筐体４６は、内部に所定の照明光軸Ａ（図２）が設定された筐体であり、上述した各光学部品４２〜４５を照明光軸Ａに対する所定位置に収納配置する。
【００２４】
〔アッパーケースの詳細な構成〕
図３は、アッパーケース２１の構成を示す図である。具体的に、図３は、前面上方側から見たアッパーケース２１の分解斜視図である。
アッパーケース２１は、図１または図３に示すように、鉛直方向（プロジェクタ１が正置き姿勢や天吊り姿勢等の所定の姿勢で設置された際の鉛直方向、本実施形態ではＹ軸方向）に交差する平面（ＸＺ平面）に沿う方向（本実施形態では、Ｚ軸方向）に分割形成された分割形成部としてのフロント部２１１とリア部２１２との２体で構成されている。
【００２５】
フロント部２１１は、図１または図３に示すように、アッパーケース２１における２体に分割形成された各部材の前面側（＋Ｚ軸方向側）に位置する部材であり、前面部２１１Ａと、２つの側面部２１１Ｂ，２１１Ｃと、天面部２１１Ｄとで構成される。
このフロント部２１１の前面部２１１Ａにおいて、＋Ｘ軸方向側（前方から見て右側）には、図１または図３に示すように、投射レンズ３から拡大投射された光束を通過させるための平面視矩形状の光束通過用開口部２１１１が形成されている。
また、このフロント部２１１の側面部２１１Ｃにおいて、＋Ｚ軸方向側（前面側）には、前記冷却ユニットによりプロジェクタ１内部の空気を排出するための排気口２１１２（図４、図５参照）が形成されている。
【００２６】
また、このフロント部２１１の天面部２１１Ｄにおいて、光束通過用開口部２１１１に近接する位置（右前方側の角隅部分）には、図１または図３に示すように、投射レンズ３を構成する位置変更部３１の突起部３１Ａを露出させるための露出用開口部２１１３が形成されている。そして、利用者は、露出用開口部２１１３を介して突起部３１Ａを操作することで、投影画像のフォーカス調整やズーム調整を実施する。
【００２７】
また、天面部２１１Ｄにおいて、露出用開口部２１１３の−Ｚ軸方向側で、Ｘ軸方向略中央部分には、図１または図３に示すように、プロジェクタ１の電源オン／オフ、投影画像の画質調整、音量調整等を実施するための複数の操作ボタン２１１４Ａ（図１）を外部に露出させるための複数の操作用孔２１１４が形成されている。そして、複数の操作用孔２１１４を介して各操作ボタン２１１４Ａを適宜押下すると、操作ボタン２１１４Ａ内部に配置される図示しない回路基板に実装されたタクトスイッチと接触し、所望の操作が可能となる。
【００２８】
図４ないし図６は、フロント部２１１とリア部２１２の接続構造を示す図である。具体的に、図４は、フロント部２１１とリア部２１２の接続構造を前面下方側から見た斜視図である。図５は、図４の状態のフロント部２１１とリア部２１２とを分解した分解斜視図である。図６は、フロント部２１１とリア部２１２との接続部位を示す断面図である。
そして、フロント部２１１には、以下に示すように、リア部２１２と接続するための接続構造が形成されている。
【００２９】
フロント部２１１の天面部２１１Ｄの内面（−Ｙ軸方向端面）には、図４または図５に示すように、リア部２１２の後述するフックに係合する係合突起部２１１５が形成されている。具体的に、係合突起部２１１５は、図４または図５に示すように、天面部２１１Ｄの内面における−Ｚ軸方向側に立設されている。また、係合突起部２１１５は、図４または図５に示すように、筒状軸がＹ軸方向に沿う略円柱形状を有し、複数の操作用孔２１１４の−Ｚ軸方向側に位置する第１の係合突起部２１１５Ａ、および第１の係合突起部２１１５Ａを挟んで互いに対向する第２の係合突起部２１１５Ｂ、第３の係合突起部２１１５Ｃの３つで構成される。
【００３０】
また、天面部２１１Ｄの内面には、図４または図５に示すように、リア部２１２の後述する固定部との間でねじ止め固定するための固定用突起部２１１６が形成されている。具体的に、固定用突起部２１１６は、図４または図５に示すように、天面部２１１Ｄの内面における−Ｚ軸方向側に立設されている。また、固定用突起部２１１６は、図４または図５に示すように、筒状軸がＹ軸に沿う略円柱形状を有し、先端から内部に向けて固定ねじ２１３と螺合するためのねじ溝２１１６Ｄ（図５）が形成されている。そして、固定用突起部２１１６は、図４または図５に示すように、各係合突起部２１１５Ａ〜２１１５Ｃにそれぞれ近接する第１の固定用突起部２１１６Ａ、第２の固定用突起部２１１６Ｂ、および第３の固定用突起部２１１６Ｃの３つで構成される。
【００３１】
また、フロント部２１１の側面部２１１Ｂと天面部２１１Ｄとの内側には、図４または図５に示すように、リア部２１２の後述する固定用突起部との間でねじ止め固定するための固定部２１１７が形成されている。具体的に、固定部２１１７は、図４または図５に示すように、天面部２１１Ｄの内面から側面部２１１Ｂの内面に沿ってＸＹ平面に略平行に延出し、側面部２１１Ｂの−Ｙ軸方向端縁と略同一位置から−Ｚ軸方向に折曲してＸＺ平面に略平行に延出する板状に形成され、ＸＺ平面に略平行に延出する部分に固定ねじ２１３を挿通可能とする固定用孔２１１７Ａ（図５）を有している。
【００３２】
また、フロント部２１１の−Ｚ軸方向端縁には、図５または図６に示すように、リア部２１２の後述する溝部に嵌合する突条部２１１８が形成されている。具体的に、突条部２１１８は、フロント部２１１の−Ｚ軸方向端縁から−Ｚ軸方向に突出し、側面部２１１Ｂの−Ｚ軸方向端縁および天面部２１１Ｄの−Ｚ軸方向端縁に沿って延出するように形成されている。
【００３３】
リア部２１２は、図３ないし図５に示すように、アッパーケース２１における２体に分割形成された各部材の背面側（−Ｚ軸方向側）に位置する部材であり、背面部２１２Ａと、２つの側面部２１２Ｂ，２１２Ｃと、天面部２１２Ｄとで構成される。また、リア部２１２は、図３に示すように、リア部本体２１２１と、リア部本体２１２１に着脱可能に設けられ、天面部２１２Ｄの一部を構成するランプ交換用蓋体２１２２とで構成される。
【００３４】
リア部本体２１２１の天面部２１２Ｄにおいて、−Ｘ軸方向側（前面から見て左側）には、図３に示すように、ランプ交換用蓋体２１２２を設置するための平面視矩形状の蓋体設置用凹部２１２１Ａが形成されている。
この蓋体設置用凹部２１２１Ａは、外装筐体２内部の光源装置４１の配設位置に対応して設けられている。そして、蓋体設置用凹部２１２１Ａの底部分には、図３ないし図５に示すように、外装筐体２内外に光源装置４１を着脱可能とするランプ交換用開口部２１２１Ｂが形成されている。そして、ランプ交換用蓋体２１２２を蓋体設置用凹部２１２１Ａから取り外した場合には、ランプ交換用開口部２１２１Ｂを介して光源装置４１の一部が露出し、光源装置４１の交換が可能となる。
【００３５】
ランプ交換用蓋体２１２２は、図３に示すように、蓋体設置用凹部２１２１Ａと略同一の平面形状を有し、蓋体設置用凹部２１２１Ａに設置されることでランプ交換用開口部２１２１Ｂを閉塞し、リア部２１２の天面部２１２Ｄの一部を構成する。
そして、このランプ交換用蓋体２１２２の内面（−Ｙ軸方向端面）には、図３に示すように、内部の光源装置４１から射出された光束の一部によるランプ交換用蓋体２１２２の劣化を防止するために熱緩衝部材２１２２Ａが取り付けられる。この熱緩衝部材２１２２Ａは、例えば、金属材料（例えば、マグネシウム、アルミニウム、チタン、あるいはこれらの一部を含んだ合金）等で構成されている。
【００３６】
そして、リア部２１２には、以下に示すように、フロント部２１１と接続するための接続構造が形成されている。
リア部本体２１２１の天面部２１２Ｄの内面（−Ｙ軸方向端面）には、図３ないし図５に示すように、フロント部２１１の係合突起部２１１５に係合するフック２１２３が形成されている。具体的に、フック２１２３は、図３ないし図５に示すように、板体形状を有し、天面部２１２Ｄの＋Ｚ軸方向端縁から一部が突出するように、該フック２１２３の板面が天面部２１２Ｄの内面に接続している。また、フック２１２３は、図３ないし図５に示すように、係合突起部２１１５に係合するための係合孔２１２３Ｄが形成され、フロント部２１１およびリア部２１２が互いに組み合わされた状態で、係合孔２１２３Ｄに係合突起部２１１５が挿通され、かつ、係合孔２１２３Ｄの内周縁に係合突起部２１１５の外周縁が当接する。すなわち、係合突起部２１１５およびフック２１２３により、フロント部２１１およびリア部２１２が互いに離間することを防止している。そして、フック２１２３は、図３ないし図５に示すように、フロント部２１１の各係合突起部２１１５Ａ〜２１１５Ｃにそれぞれ対応する第１のフック２１２３Ａ、第２のフック２１２３Ｂ、および第３のフック２１２３Ｃの３つで構成される。
【００３７】
また、天面部２１２Ｄの内面には、図３ないし図５に示すように、フロント部２１１の固定用突起部２１１６との間でねじ止め固定するための固定部２１２４が形成されている。具体的に、固定部２１２４は、図３ないし図５に示すように、板体形状を有し、天面部２１２Ｄの＋Ｚ軸方向端縁から一部が突出するように、該固定部２１２４の板面が天面部２１２Ｄの内面に接続している。そして、固定部２１２４は、図３ないし図５に示すように、フロント部２１１およびリア部２１２が互いに組み合わされた状態で、＋Ｙ軸方向端面が固定用突起部２１１６の先端部に当接する。また、固定部２１２４は、図３または図５に示すように、フロント部２１１およびリア部２１２が互いに組み合わされた状態で、固定用突起部２１１６のねじ溝２１１６Ｄに対応して、固定ねじ２１３を挿通可能とする固定用孔２１２４Ｄが形成されている。すなわち、固定用孔２１２４Ｄを介して固定ねじ２１３をねじ溝２１１６Ｄに螺合することで、フロント部２１１およびリア部２１２が互いに固定される。そして、固定部２１２４は、図３ないし図５に示すように、フロント部２１１の各固定用突起部２１１６Ａ〜２１１６Ｃにそれぞれ対応する第１の固定部２１２４Ａ、第２の固定部２１２４Ｂ、および第３の固定部２１２４Ｃの３つで構成される。
【００３８】
また、リア部本体２１２１の側面部２１２Ｂの内面（−Ｘ軸方向端面）には、図４または図５に示すように、フロント部２１１の固定部２１１７との間でねじ止め固定するための固定用突起部２１２５が形成されている。具体的に、固定用突起部２１２５は、図４または図５に示すように、筒状軸がＹ軸に沿う略円柱形状を有し、−Ｙ軸方向端部から＋Ｙ軸方向に向けて固定ねじ２１３と螺合するためのねじ溝２１２５Ａ（図５）が形成されている。そして、固定用突起部２１２５は、図４または図５に示すように、フロント部２１１およびリア部２１２が互いに組み合わされた状態で、−Ｙ軸方向端部が固定部２１１７の＋Ｙ軸方向端面に当接する。すなわち、固定部２１１７の固定用孔２１１７Ａを介して固定ねじ２１３をねじ溝２１２５Ａに螺合することで、フロント部２１１およびリア部２１２が互いに固定される。
【００３９】
また、リア部本体２１２１の＋Ｚ軸方向端縁には、図３、図５または図６に示すように、フロント部２１１の突条部２１１８が嵌合可能とする溝部２１２６が形成されている。具体的に、溝部２１２６は、フロント部２１１の突条部２１１８に対応し、リア部本体２１２１の側面部２１２Ｂの＋Ｚ軸方向端縁および天面部２１２Ｄの＋Ｚ軸方向端縁に沿って形成されている。そして、図６に示すように、突条部２１１８を溝部２１２６に嵌合させることで、フロント部２１１およびリア部２１２が互いに組み合わされる。
【００４０】
以上説明したように、フロント部２１１とリア部２１２とを互いに組み合わせ固定することで、フロント部２１１の天面部２１１Ｄとリア部２１２の天面部２１２Ｄとで外装筐体２における鉛直方向（Ｙ軸方向）に交差する天面部を構成する。
【００４１】
上述した本実施形態によれば、以下の効果がある。
本実施形態では、外装筐体２を構成するアッパーケース２１は、フロント部２１１およびリア部２１２で構成されている。そして、フロント部２１１およびリア部２１２は、互いに組み合うことで外装筐体２における鉛直方向（Ｙ軸方向）に交差する天面、すなわち、外観デザインを大きく決定する天面部を構成する。このことにより、外観デザインを大きく決定する天面部がフロント部２１１およびリア部２１２で構成されているので、例えば、フロント部２１１およびリア部２１２毎に色や表面処理を変えて外装筐体２の天面部を前面側と背面側とで見え方の違う構成としたり、プロジェクタ１自体を視覚的に小さく見えるデザインで構成したりすることができ、外観デザインの自由度を向上できる。
【００４２】
また、フロント部２１１の−Ｚ軸方向端縁に該−Ｚ軸方向端縁に沿って延出する突条部２１１８が形成され、リア部２１２の＋Ｚ軸方向端縁に該＋Ｚ軸方向端縁に沿って延出する溝部２１２６が形成されている。このことにより、突条部２１１８および溝部２１２６を互いに嵌合することで、フロント部２１１の−Ｚ軸方向端縁およびリア部２１２の＋Ｚ軸方向端縁間の隙間を突条部２１１８および溝部２１２６にて閉塞できる。すなわち、フロント部２１１およびリア部２１２の隙間から外部に光が漏れることがなく、プロジェクタ１から拡大投射された投影画像を観賞する観賞者に不快感を与えることがない。また、突条部２１１８および溝部２１２６を互いに嵌合することで、フロント部２１１およりリア部２１２の境界部分に座屈が生じることを防止でき、フロント部２１１およびリア部２１２の境界部分の強度を十分に確保できる。
【００４３】
そして、フロント部２１１およびリア部２１２の接続構造として、突条部２１１８および溝部２１２６の他、係合突起部２１１５およびフック２１２３と、固定用突起部２１１６および固定部２１２４と、固定部２１１７および固定用突起部２１２５とが設けられているので、フロント部２１１およびリア部２１２の境界部分に座屈が生じることをより確実に防止できるとともに、フロント部２１１およびリア部２１２が互いに離間することを防止でき、外装筐体２の天面部の強度を十分に確保できる。
また、フロント部２１１およびリア部２１２の接続構造は、外装筐体２の内面や端縁部分に形成されているので、接続構造が外部から見えることがなく、プロジェクタ１を外観上、好ましいものとすることができる。
【００４４】
なお、本発明は前述の実施形態に限定されるものではなく、本発明の目的を達成できる範囲での変形、改良等は本発明に含まれるものである。
前記実施形態では、アッパーケース２１がフロント部２１１およびリア部２１２の２体で構成されていたが、これに限らず、３体以上で構成されていても構わない。アッパーケース２１を３体以上の部材で構成する場合においても前記実施形態と同様に、鉛直方向（Ｙ軸方向）に交差する平面（ＸＺ平面）に沿って分割形成して３体以上の部材（分割形成部）で構成する。
前記実施形態では、分割形成部としてのフロント部２１１およびリア部２１２は、鉛直方向に交差する面（天面部）以外の前面部２１１Ａ、側面部２１１Ｂ，２１１Ｃ，２１２Ｂ，２１２Ｃ、背面部２１２Ａを有していたが、互いに組み合うことで外装筐体２における鉛直方向に交差する面（天面部）を構成すればよく、前面部２１１Ａ、側面部２１１Ｂ，２１１Ｃ，２１２Ｂ，２１２Ｃ、背面部２１２Ａを省略した構成としても構わない。
前記実施形態では、アッパーケース２１が複数の分割形成部（フロント部２１１およびリア部２１２）で構成されていたが、これに限らず、ロアーケース２２を複数の分割形成部にて構成しても構わない。
【００４５】
前記実施形態において、フロント部２１１およびリア部２１２の接続構造は、前記実施形態で説明した接続構造に限らず、その他の接続構造を採用しても構わない。
例えば、前記実施形態では、Ｚ軸方向に互いに係合する係合構造を構成する係合突起部２１１５およびフック２１２３と、固定ねじ２１３にて互いに固定される固定構造を構成する固定用突起部２１１６および固定部２１２４と固定部２１１７および固定用突起部２１２５とをそれぞれ別々に形成していたが、これに限らず、前記係合構造および前記固定構造の双方を有するように一体的に形成した構成を採用しても構わない。
また、例えば、前記実施形態では、固定ねじ２１３を用いたねじ止め構造を採用していたが、これに限らず、ヒートシール、または、熱かしめや超音波溶着、接着剤にて固定する構造を採用しても構わない。
【００４６】
前記実施形態では、フロント部２１１およびリア部２１２は、互いの外縁部（−Ｚ軸方向端縁、＋Ｚ軸方向端縁）同士が当接する構造としていたが、これに限らず、互いに組み合った状態からＸＺ平面に沿う方向に分割可能に構成されていればよく、Ｙ軸方向に互いに重なるように構成しても構わない。例えば、リア部を前面側まで延出形成した構成とし、かつ、前面側の表面にフロント部を設置可能とする凹部を形成する。そして、リア部における凹部にフロント部を設置する。この場合、フロント部の強度は低くてもよく、高価な材料（アルミ板）を使用する等、外観デザインの自由度をさらに向上できる。
【００４７】
前記実施形態では、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
前記実施形態では、色合成光学装置としてクロスダイクロイックプリズム４５４を採用していたが、これに限らず、ダイクロイックミラーを複数用いることで各色光を合成する構成を採用してもよい。
【００４８】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
【００４９】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５０】
本発明は、外観デザインの自由度を向上できるため、プレゼンテーションやホームシアタに用いられるプロジェクタとして利用できる。
【図面の簡単な説明】
【００５１】
【図１】本実施形態におけるプロジェクタの外観を示す斜視図。
【図２】前記実施形態におけるプロジェクタの内部構成を模式的に示す図。
【図３】前記実施形態におけるアッパーケースの構成を示す図。
【図４】前記実施形態におけるフロント部とリア部の接続構造を示す図。
【図５】前記実施形態におけるフロント部とリア部の接続構造を示す図。
【図６】前記実施形態におけるフロント部とリア部の接続構造を示す図。
【符号の説明】
【００５２】
１・・・プロジェクタ、２・・・外装筐体、３・・・投射レンズ（投射光学装置）、４１・・・光源装置、２１１・・・フロント部（分割形成部）、２１２・・・リア部（分割形成部）、４５１・・・液晶パネル（光変調装置）、２１１８・・・突条部、２１２６・・・溝部。
【図１】
2008216758.tif 000003
【図２】
2008216758.tif 000004
【図３】
2008216758.tif 000005
【図４】
2008216758.tif 000006
【図５】
2008216758.tif 000007
【図６】
2008216758.tif 000008